(57)【要約】【課題】本発明が解決しようとする課題は、顧客のレシートの取り忘れを抑制する会計用機器、および会計装置を提供することである。【解決手段】実施形態の会計用機器は、取引情報に基づいて顧客が支払を行うための会計処理を実行する会計装置に用いられる会計用機器であって、キャッシュレスによる支払に用いられる顧客のキャッシュレス情報を読み取る読取部と、前記読取部が読み取ったキャッシュレス情報に基づいて実行された会計処理の結果を示すレシートを、前記読取部に向けて発行するレシート発行部と、を備えたものである。【選択図】図２
2022003516.tif 000002
【特許請求の範囲】
【請求項１】
取引情報に基づいて顧客が支払を行うための会計処理を実行する会計装置に用いられる会計用機器であって、
キャッシュレスによる支払に用いられる顧客のキャッシュレス情報を読み取る読取部と、
前記読取部が読み取ったキャッシュレス情報に基づいて実行された会計処理の結果を示すレシートを、前記読取部に向けて発行するレシート発行部と、
を備えた会計用機器。
【請求項２】
前記読取部は、読取窓の前側に提示される読取対象から前記キャッシュレス情報を読み取り、
前記レシート発行部は、前記レシートを前記読取窓に向けて発行する、
請求項１に記載の会計用機器。
【請求項３】
前記読取部は、前記レシート発行部によって発行されたレシートから当該レシートの存在を示す情報を読取可能であり、
前記レシート発行部は、前記読取部が前記レシートの存在を示す情報を読取可能な位置にレシートを発行する、
請求項１または２に記載の会計用機器。
【請求項４】
前記レシート発行部は、前記読取部の上方に前記レシートを排出する発行口を備えた、
請求項１ないし３のいずれか１つに記載の会計用機器。
【請求項５】
前記レシートを照らす照明部と、
前記レシート発行部によるレシートの発行と連動して前記照明部を点灯させる照明制御部と、をさらに備える、
請求項３または４に記載の会計用機器。
【請求項６】
前記照明制御部は、前記レシート発行部によるレシート発行の前に前記照明部を点灯させる請求項５に記載の会計用機器。
【請求項７】
前記照明制御部は、前記照明部の輝度を段階的に変更して点灯させる、
請求項５または６に記載の会計用機器。
【請求項８】
前記読取部の読取深度を変化させるための読取深度変更機構と、
前記レシート発行部によるレシートの発行と連動して前記読取深度変更機構により前記読取深度を変更する読取深度制御部と、をさらに備える、
請求項３ないし７のいずれか１つに記載の会計用機器。
【請求項９】
取引情報に基づいて顧客が支払を行うための会計処理を実行し、当該会計処理の結果を示すレシートを発行する会計装置であって、
取引対象を特定する情報および前記レシートの存在を示す情報を読み取るスキャナと、
前記スキャナが前記レシートの存在を示す情報を読取可能な位置に前記レシートを発行するレシート発行部と、
前記レシートが発行されてから所定時間経過後に前記スキャナが前記レシートの存在を示す情報を読み取った場合、前記レシートの取り忘れを報知する報知部と、
を備えた会計装置。
【請求項１０】
前記レシート発行部は、前記スキャナの上方に前記レシートを排出する発行口を備えた、
請求項９に記載の会計装置。
【発明の詳細な説明】
【技術分野】
【０００１】
本発明の実施形態は、会計用機器、および会計装置に関する。
【背景技術】
【０００２】
近年、店舗に導入されるＰＯＳ（Point  of  Sales）システムは、人手不足を背景として、商品等を購入する顧客自身が会計操作を行う、いわゆるセルフ式あるいはセミセルフ式のものが増えてきている。
【０００３】
セルフ式ＰＯＳシステムは、顧客自身がＰＯＳ端末を操作して、購入する商品の商品登録を行うとともに、支払を行うための会計操作も行う。セミセルフ式ＰＯＳシステムは、購入する商品の商品登録を行う登録装置と、商品登録に基づく取引情報を登録装置から受信して会計処理を行う会計装置とを有する。そして、登録装置は、店舗の店員によって商品登録操作がなされ、会計装置は、顧客によって会計操作がなされる。これらセルフＰＯＳ端末やセミセルフＰＯＳシステムの会計装置は、会計処理が終了するとレシートを発行する。（例えば、特許文献１）
【０００４】
このような顧客自身が会計操作を行うものでは、顧客は、会計装置の操作に慣れていないため、発行されたレシートに気付かずレシートを取り忘れる場合がある。
【０００５】
また、近年、二次元コード決済、電子マネー決済等のキャッシュレス決済が広く普及している。このようなキャッシュレス決済では、例えば、ＰＯＳ端末が備える読取装置に顧客が二次元コードを読み取らせて会計処理が終了すると、読取確認音が発せられる。これを聞いた顧客は、会計処理が終了したことを確認してレシートを受け取らずに直ちにその場を立ち去ることがある。このため、セルフ式やセミセルフ式ではない、店員が会計操作を行う形式のＰＯＳシステムにおいてもレシートの取り忘れが多く見受けられるようになってきている。
【発明の概要】
【発明が解決しようとする課題】
【０００６】
本発明が解決しようとする課題は、顧客のレシートの取り忘れを抑制する会計用機器、および会計装置を提供することである。
【課題を解決するための手段】
【０００７】
実施形態の会計用機器は、取引情報に基づいて顧客が支払を行うための会計処理を実行する会計装置に用いられる会計用機器であって、キャッシュレスによる支払に用いられる顧客のキャッシュレス情報を読み取る読取部と、前記読取部が読み取ったキャッシュレス情報に基づいて実行された会計処理の結果を示すレシートを、前記読取部に向けて発行するレシート発行部と、を備えたものである。
【０００８】
また、実施形態の会計装置は、取引情報に基づいて顧客が支払を行うための会計処理を実行し、当該会計処理の結果を示すレシートを発行する会計装置であって、取引対象を特定する情報および前記レシートの存在を示す情報を読み取るスキャナと、前記スキャナが前記レシートの存在を示す情報を読取可能な位置に前記レシートを発行するレシート発行部と、前記レシートが発行されてから所定時間経過後に前記スキャナが前記レシートの存在を示す情報を読み取った場合、前記レシートの取り忘れを報知する報知部と、を備えたものである。
【図面の簡単な説明】
【０００９】
【図１】図１は、第１の実施形態の会計用機器を備えたＰＯＳ端末の外観を示す斜視図である。
【図２】図２は、第１の実施形態におけるレシートを発行した状態の会計用機器の外観を示す斜視図である。
【図３】図３は、第１の実施形態のＰＯＳ端末のハードウェア構成を示すブロック図である。
【図４】図４は、変形例の会計用機器の外観を示す斜視図である。
【図５】図５は、変形例におけるレシートを発行した状態の会計用機器の外観を示す斜視図である。
【図６】図６は、第２の実施形態のＰＯＳ端末（会計装置）の外観を示す斜視図である。
【図７】図７は、第２の実施形態におけるレシートを発行した状態のＰＯＳ端末（会計装置）の外観を示す斜視図である。
【図８】図８は、第２の実施形態のＰＯＳ端末（会計装置）のハードウェア構成を示すブロック図である。
【図９】図９は、第２の実施形態のＰＯＳ端末（会計装置）の機能構成を示すブロック図である。
【図１０】図１０は、第２の実施形態におけるＰＯＳ端末（会計装置）の制御部の処理を示すフローチャートである。
【図１１】図１１は、第３の実施形態のＰＯＳ端末（会計装置）のハードウェア構成を示すブロック図である。
【図１２】図１２は、第３の実施形態のＰＯＳ端末（会計装置）の機能構成を示すブロック図である。
【図１３】図１３は、第３の実施形態におけるＰＯＳ端末（会計装置）の制御部の処理を示すフローチャートである。
【発明を実施するための形態】
【００１０】
（第１の実施形態）
以下、図面を参照して第１の実施形態のＰＯＳ端末について説明する。図１は、会計用機器を備えたＰＯＳ端末の外観を示す斜視図である。ＰＯＳ端末１は、スーパーマーケット等の店舗のレジカウンタなどに設置されるもので、本体２と会計用機器３とを備える。本体２は、取引情報に基づいて顧客が支払を行うための会計処理を実行する会計装置の一例である。なお、以降の実施形態においては、取引対象を商品として説明するが、取引対象はサービスとしてもよい。
【００１１】
本体２は、オペレータ用のディスプレイ２１、客用ディスプレイ２２、キーボード２３、本体スキャナ２４、および本体プリンタ２５を備える。ディスプレイ２１及び客用ディスプレイ２２は、顧客が購入する商品の商品コードや商品情報を表示する。商品情報は、商品名、商品の価格等を含む。また、ディスプレイ２１及び客用ディスプレイ２２は、取引情報を表示する。取引情報は、一取引の合計金額等を含む。
【００１２】
キーボード２３は、現金決済や各種キャッシュレス決済等の決済方法を選択する決済方法選択キーを複数備えている。決済方法選択キーにより選択可能なキャッシュレス決済は、例えば、ＱＲコード（登録商標）等を用いた二次元コード決済、クレジットカード決済、電子マネー決済等である。また、キーボード２３は、その他の各種キーを備えている。各種キーとしては、例えば、商品コードや金額等を入力するための置数キー、販売合計金額の算出を宣言するための小計キー、一取引の締め処理を行って代金を決済することを宣言する締めキー、置数キーによる置数入力を確定する確定キー、入力をクリアするクリアキー等である。
【００１３】
本体スキャナ２４は、ハンディ式のスキャナであって、レーザ光を照射し商品に付されたバーコード等のコードシンボルで反射した反射光を受光することで、上記コードシンボルを認識する。本体スキャナ２４は、認識したコードシンボルをデコードし、コードシンボルが示す商品コードを読み取る。商品コードは、取引対象を特定する情報の一例である。なお、本体スキャナ２４が認識したコードシンボルのデコードは、本体２で行ってもよい。また、本体スキャナ２４は、商品を撮像して当該商品に付されたコードシンボルを認識してもよい。
【００１４】
本体プリンタ２５は、例えば、サーマルプリンタであって、サーマルヘッドによって感熱紙に１取引に関する情報（１取引の会計処理の結果を含む）を印刷してレシートＲ（図２参照）を発行する。レシートＲに印刷される１取引に関する情報は、購入商品の名称、単価などの商品情報、取引金額等である。
【００１５】
会計用機器３は、会計機器スキャナ３１と会計機器プリンタ３２とを備える。会計用機器３は、有線または無線で本体２と接続され、会計機器スキャナ３１および会計機器プリンタ３２は、本体２の制御部によって制御される。したがって、本体２の制御部も含めて会計用機器３ということもできる。
【００１６】
会計機器スキャナ３１は、顧客が二次元コード決済により支払を行う場合に、顧客のスマートフォン等の画面を撮像することで、当該画面に表示された二次元コードを認識してデコードし、二次元コード決済に必要な顧客情報（コード情報）を読み取る。会計機器スキャナ３１は、キャッシュレスによる支払に用いられる顧客のキャッシュレス情報を読み取る読取部の一例である。また、会計機器スキャナ３１が読み取った顧客情報は、キャッシュレス情報の一例である。
【００１７】
なお、会計機器スキャナ３１が撮像した二次元コードのデコードは、本体２で行ってもよい。この場合、会計機器スキャナ３１から本体２に送信される二次元コードの画像データがキャッシュレス情報を構成することとなる。つまり、顧客のスマートフォン等の端末の画面に表示された二次元コードが示す情報もキャッシュレス情報に含む。
【００１８】
会計機器スキャナ３１は、支持部３１１とスキャナ部３１２とを備える。支持部３１１は、例えば、レジカウンタに接地されてスキャナ部３１２を支持する。スキャナ部３１２は、筐体３１３の顧客側（前側）の面に形成される読取窓３１４、および筐体３１３に内蔵される撮像部（図示せず）を有している。撮像部は、読取窓３１４の前にかざされた例えばスマートフォンの画面に表示された二次元コードや、会計機器プリンタ３２が発行したレシートＲに印刷されたバーコードなどのコードシンボルを撮像し、撮像したコードシンボルをデコードする。そして、撮像部は、デコードして読み取ったコード情報を本体２に出力する。会計機器スキャナ３１がキャッシュレス情報を読取可能な位置（以下、読取位置ともいう）は、撮像部がデコード可能な画像を撮像することができる位置に相当する。
【００１９】
会計機器プリンタ３２は、例えば、サーマルプリンタであって、会計機器スキャナ３１の上部に一体または別体で設けられている。会計機器プリンタ３２は、読取部が読み取ったキャッシュレス情報に基づいて実行された会計処理の結果を示すレシート（以下、会計処理に係るレシートともいう）を、読取部に向けて発行するレシート発行部の一例である。具体的には、会計機器プリンタ３２は、会計機器スキャナ３１で読み取った顧客情報に基づいて二次元コード決済された取引に関するレシートＲを読取窓３１４に重なるように発行する。
【００２０】
会計機器プリンタ３２は、読取窓３１４と同じ側に向けて発行口３２１を備えている。図２に示すように、発行口３２１から発行されるレシートＲは、重力により先端が垂れ下がって、上記のように読取窓３１４の前側に位置するよう発行される。言い換えれば、会計機器プリンタ３２は、会計機器スキャナ３１の読取位置に重なるようにレシートＲを発行する。
【００２１】
発行口３２１から発行されるレシートＲには、表面Ｆに顧客が購入する商品の商品情報や取引情報などが印刷される。また、レシートＲには、表面Ｆの裏面（読取窓３１４に対向する側の面）にバーコードが印刷される。会計機器プリンタ３２は表面印刷用のヘッドと裏面印刷用のヘッドを含む両面プリンタである。レシートの裏面に印刷されるバーコードは、レシートＲの存在を示す情報であり、会計機器スキャナ３１が当該バーコードを読み取ることによって、ＰＯＳ端末１は、会計機器プリンタ３２から発行されたレシートＲが会計機器スキャナ３１の前側に位置していることを検知することができる。
【００２２】
なお、上記会計用機器３は、キャッシュレス決済として二次元コード決済を行うためものであるが、これに限らない。例えば、会計用機器３は、電子マネー決済、クレジットカード決済、等に基づく決済を行うためのものでもよい。
【００２３】
電子マネー決済の場合、読取部として電子マネーリーダを用いる。電子マネーリーダは、電子マネーカードに対し、ＮＦＣ（Near  Field  Communication）等の近距離無線通信技術を用いてアクセスし、電子マネーカードに記憶された金額を示す情報（以下、金額情報ともいう）を読み取る。金額情報は、キャッシュレスによる支払に用いられる顧客のキャッシュレス情報の一例である。
【００２４】
また、クレジットカード決済の場合、読取部としてクレジットカードリーダを用いる。クレジットカードリーダは磁気を用いてクレジットカードに記録されたクレジット会社名、会員番号、カードの有効期限等のクレジット情報を読み取る。クレジット情報は、キャッシュレスによる支払に用いられる顧客のキャッシュレス情報の一例である。
【００２５】
次に、ＰＯＳ端末１のハードウェア構成について説明する。図３は、ＰＯＳ端末１のハードウェア構成の一例を示すブロック図である。ＰＯＳ端末１は、制御部１００と、メモリ部１１０と、入出力コントローラ１２０と、通信Ｉ／Ｆ（Interface）１３０等を備える。制御部１００、メモリ部１１０、入出力コントローラ１２０、および通信Ｉ／Ｆ１３０はバス１４０を介して互いに接続されている。
【００２６】
制御部１００は、ＣＰＵ（Central  Processing  Unit）１０１、ＲＯＭ（Read  Only  Memory）１０２、およびＲＡＭ（Random  Access  Memory）１０３を備えたコンピュータである。ＣＰＵ１０１、ＲＯＭ１０２、およびＲＡＭ１０３は、バス１４０を介して互いに接続されている。
【００２７】
ＣＰＵ１０１は、ＰＯＳ端末１の全体の動作を制御する。ＲＯＭ１０２は、ＣＰＵ１０１の駆動に用いられるプログラムなどの各種プログラムや各種データを記憶する。ＲＡＭ１０３は、ＣＰＵ１０１のワークエリアとして使用され、ＲＯＭ１０２やメモリ部１１０に記憶された各種プログラムや各種データを展開する。制御部１００は、ＣＰＵ１０１がＲＯＭ１０２やメモリ部１１０に記憶されＲＡＭ１０３に展開された制御プログラムに従って動作することによって、ＰＯＳ端末１の各種制御処理を実行する。
【００２８】
メモリ部１１０は、例えば、ＨＤＤ（Hard  Disk  Drive）やＳＳＤ（Solid  State  Memory）などの記憶装置で構成される。メモリ部１１０は、制御プログラム部１１１、商品マスタ部１１２、レシートコード部１１３を備える。制御プログラム部１１１は、ＰＯＳ端末１として機能するための制御プログラムの他、各種制御プログラムを記憶する。
【００２９】
商品マスタ部１１２は、商品マスタを記憶する。商品マスタは、店舗で取り扱っている商品について、商品コードと商品情報とを関連付けて記憶したマスタファイルである。店舗で取り扱う商品は日々変化するため、商品マスタは、通信Ｉ／Ｆ１３０を介して接続される店舗サーバ（図示せず）によって適宜更新される。
【００３０】
レシートコード部１１３は、レシートＲの存在を示すコード情報を記憶する。コード情報は、レシートＲの裏面に印刷されるバーコードによって示されるコードである。
【００３１】
入出力コントローラ１２０は、ディスプレイ２１、客用ディスプレイ２２、キーボード２３、本体スキャナ２４、本体プリンタ２５、報知部２６、会計機器スキャナ３１、および会計機器プリンタ３２と接続される。入出力コントローラ１２０は、接続されるハードウェアに対する入出力インターフェイスとしての機能とこれらハードウェアを制御するための機能とを備えている。これにより、制御部１００は、入出力コントローラ１２０を介して、ディスプレイ２１、客用ディスプレイ２２、キーボード２３、本体スキャナ２４、本体プリンタ２５、報知部２６、会計機器スキャナ３１、および会計機器プリンタ３２とそれぞれ情報（データ）の送受信が可能であるとともに、制御部１００の指示に基づいてこれらハードウェアを制御可能となっている。
【００３２】
なお、報知部２６は、本体２または会計用機器３のいずれか、または両方に設けられ、レシートＲの取り忘れや各種ハードウェアに発生したエラーなどを店員や顧客に報知するためのものである。報知部２６は、ブザーやＬＥＤなどで構成される。通信Ｉ／Ｆ１３０は、図示しない店舗サーバ、決済会社サーバなどと通信するためのインターフェイスである。
【００３３】
上記構成に基づいて、ＰＯＳ端末１の本体２で実行される会計処理、会計用機器３で実行されるレシート発行処理について説明する。顧客が購入する商品をレジカウンタに持ち込むと、本体２を操作する店員は、本体スキャナ２４で商品に付されたバーコードにレーザ光を照射して商品コードを読み取る。制御部１００は、読み取った商品コードに基づいて商品登録を行う。商品登録は、制御部１００が商品マスタ部１１２を参照し、読み取った商品コードに対応する商品情報をＲＡＭ１０３に記憶することで行われる。
【００３４】
顧客が購入する商品の全てについて商品登録が完了すると、本体２は、ディスプレイ２１および客用ディスプレイ２２に合計金額などの取引情報を表示する。取引情報を確認した顧客が二次元コード決済を希望すると、店員は、キーボード２３の決済方法選択キーによって二次元コード決済を選択する。次いで、店員は、顧客に対し、会計機器スキャナ３１の読取窓３１４に二次元コードをかざすよう促す。
【００３５】
顧客は、自己のスマートフォンなどに表示された二次元コードを読取窓３１４にかざす。会計機器スキャナ３１は、二次元コードを認識して顧客情報を読み取ると、制御部１００に顧客情報を送信する。制御部１００は、通信Ｉ／Ｆ１３０を介して、決済会社サーバに顧客情報を送信した後、決済会社サーバから決済完了通知を受信する。これにより、商品登録から支払に至るまでのＰＯＳ端末１の処理が完了する。本体２は、会計用機器３が読取ったキャッシュレス情報に基づいて会計処理を実行する。会計処理とは、顧客が支払を行うために本体２が実行する処理であって、二次元コード決済においては、例えば、合計金額の算出、決済会社サーバとの情報の送受信などである。なお、決済完了後、会計用機器３からは支払完了を知らせる確認音が発せられる。
【００３６】
会計処理が完了すると、会計用機器３の会計機器プリンタ３２は、制御部１００からの指示に基づいてレシートＲを発行する。会計機器プリンタ３２は、レシートＲの表面Ｆに１取引に関する情報、裏面にバーコードをそれぞれ印刷して、発行口３２１からレシートＲを発行する。レシートＲは、会計処理完了後速やかに発行される。
【００３７】
図２に示すように、発行口３２１から発行されたレシートＲは、先端が垂れ下がって、会計機器スキャナ３１の読取位置に位置し、バーコードが印刷された裏面が読取窓３１４に対向する。このため、会計機器スキャナ３１はバーコードが示す情報を読み取ることができるので、ＰＯＳ端末１は、読取位置にあるレシートＲを認識できる。制御部１００は、レシート発行指示から所定時間後、例えば５秒後にレシートＲを認識した場合、報知部２６を制御して顧客に対してレシートの取り忘れを報知する。報知部２６は、例えば、ブザーによる音声での報知や、ＬＥＤの点滅による表示での報知などである。ブザーやＬＥＤなどの報知部２６は、本体２に設けられても会計用機器３に設けられてもよい。なお、上述した決済完了後に会計用機器３から発せられる確認音は、レシート発行後に発するようにすることが望ましい。通常、顧客は確認音を聞くまではその場に留まるため、レシートＲの取り忘れをより確実に防止できるからである。
【００３８】
なお、顧客が現金による支払を希望する場合、顧客は、現金を店員に渡す。この場合は、会計用機器３はレシートを発行しない。店員が本体２を操作することで、本体２は、現金会計処理を行う。会計処理後、本体プリンタ２５がレシートを発行し、発行されたレシートは釣銭とともに店員から顧客に渡される。
【００３９】
以上説明したとおり、実施形態の会計用機器は、キャッシュレスによる支払に用いられる顧客のキャッシュレス情報を読み取る読取部と、読取部が読み取ったキャッシュレス情報に基づいて実行された会計処理の結果を示すレシートを、読取部に向けて、換言すれば読取部がキャッシュレス情報を読取位置に重なるように発行するレシート発行部を備える。
【００４０】
このため、顧客が支払時に注視する読取部の読取位置に重なるようにレシートが発行されるので、レシートが顧客の視野に入りやすくなる。より詳細には、上記実施形態においては、会計機器プリンタ３２は、会計機器スキャナ３１の読取窓３１４の前側、すなわち読取窓３１４と顧客との間にレシートＲを発行するので、レシートＲが顧客の視野に入りやすい。したがって、顧客がレシートＲを取り忘れることを抑制することができる。
【００４１】
なお、実施形態では、発行されるレシートＲの裏面にバーコードを印刷したが、このバーコードの印刷は必ずしも必要ではない。また、上記実施形態では、会計機器スキャナ３１がレシートＲの裏面に印刷したバーコードの情報を読み取ることができるように、レシートＲが発行される位置を読取位置に設定したが、これに限らない。レシートＲが発行される位置は、レシートＲの裏面に印刷されたバーコードの情報を読み取れない位置であっても、読取窓３１４の前側であれば、顧客の視野に入りやすいからである。レシートを読取部に向けて発行するとは、一例として、発行口３２１から排出されたレシートが会計機器スキャナ３１の読取窓３１４の前側に位置することである。
【００４２】
また、実施形態の会計用機器３において、読取部は、レシート発行部によって発行されたレシートの存在を示す情報を読取可能であり、レシート発行部は、読取部がレシートを示す情報を読取可能な位置にレシートを発行するものである。
【００４３】
このため、会計用機器は、読み取ったレシートの存在を示す情報を会計装置に送信することができる。会計装置は、受信したレシートの存在を示す情報に基づいてレシートの取り忘れを顧客に対して報知することが可能となる。より詳細には、実施形態においては、ＰＯＳ端末１は、レシート発行指示から所定時間後、例えば５秒後にレシートＲを認識した場合、顧客に対してレシートの取り忘れを報知することができる。
【００４４】
なお、実施形態では、発行されるレシートＲの裏面にバーコードを印刷したが、会計機器スキャナ３１がレシートであることを読取可能であれば、単なるマークを印刷してもよい。これらバーコードやマークは会計機器プリンタ３２で印刷されるのではなく予めレシート用紙に印刷されていてもよい。また、第１の実施形態においては、会計用機器３は、読み取ったレシートの存在を示す情報を本体２に送信するようにしたが、読み取ったレシートの存在を示す情報に基づいて、自己の処理によって顧客に報知するようにしてもよい。
【００４５】
さらに、第１の実施形態の会計用機器は、レシート発行部は、読取部の上方にレシートを排出する発行口を備える。
【００４６】
このため、発行口から排出されたレシートは、重力によって、読取位置に重なるように位置する。したがって、レシートを読取位置に重なるようにガイドするガイド部材等を設けることなく、簡単な構成で顧客のレシートの取り忘れを抑制することができる。なお、レシートを読取位置に重なるようにガイドするガイド部材を設けるのであれば、発行口は、読取部の上方でなくてもよい。
【００４７】
次に、第１の実施形態の変形例を説明する。図４は、変形例の会計用機器の外観を示す斜視図、図５は、変形例におけるレシートを発行した状態の会計用機器の外観を示す斜視図である。上述した構成と異なる点を中心に説明し、重複する説明は省略する。
【００４８】
図４において、会計用機器３は、レジカウンタに平置きされた会計機器スキャナ３１と、レジカウンタに直接載置される会計機器プリンタ３２とからなる。会計機器スキャナ３１の読取窓３１４は、上方を向いている。
【００４９】
二次元コード決済で支払を行う顧客は、自己のスマートフォンなどに表示された二次元コードを下方に向けて読取窓３１４にかざす。会計処理完了後、会計機器プリンタ３２は、図５に示すように、発行口３２１からレシートＲを発行する。このとき、取引情報等が印刷される表面Ｆは上方を向き、バーコードが印刷される裏面は下方を向いて読取窓３１４に対向する。
【００５０】
変形例における会計用機器３においても、以下に述べるように、上述した第１実施形態のものと同様の効果を奏する。第１に、レシートＲは顧客の視野に入りやすい位置に発行されるので、顧客のレシートの取り忘れを抑制することができる。第２に、会計機器スキャナ３１がレシートＲの裏面に印刷されたバーコード情報を読み取ることで、顧客にレシートの取り忘れを報知することができる。第３に、発行口３２１を会計機器スキャナ３１の上方に設けているので、簡単な構成で顧客のレシートの取り忘れを抑制できる。
【００５１】
（第２の実施形態）
以下、図面を参照して第２の実施形態のＰＯＳ端末について説明する。図６は、会計用ＰＯＳ端末の外観を示す斜視図である。本実施形態のＰＯＳ端末は、キャッシュレス決済用のセルフ式ＰＯＳ端末である。
【００５２】
ＰＯＳ端末５は、本体５１、プリンタ５２、ディスプレイ５３、およびカードリーダ５４を備える。ＰＯＳ端末５は、取引情報に基づいて顧客が支払を行うための会計処理を実行し、当該会計処理に係るレシートを発行する会計装置の一例である。また、ＰＯＳ端末５は、キャッシュレス情報を読取る読取部に向けてレシートを発行するレシート発行部を備えた会計用機器の一例でもある。
【００５３】
本体５１は、スキャナ５５（図８参照）を備える。スキャナ５５は、本体５１の前側（顧客側）の面に形成される読取窓５５１、および本体５１に内蔵される撮像部（図示せず）を有している。撮像部は、読取窓５５１の前にかざされたコードシンボルを撮像し、撮像したコードシンボルをデコードする。撮像部は、商品登録時に商品に付されたバーコードを撮像して当該商品の商品コードを読み取る。また、撮像部は、二次元コード決済時に顧客のスマートフォンの画面に表示された二次元コードを撮像して二次元コード決済に必要な顧客情報（コード情報）を読み取る。さらに、撮像部は、レシート発行後にレシートの裏面に印刷されたバーコードを撮像してレシートを示す情報（コード情報）を読み取る。上記商品コードは、取引対象を特定する情報の一例である。
【００５４】
なお、スキャナ５５が撮像したバーコードや二次元コードのデコードは、制御部５００（図８参照）で行ってもよい。この場合、スキャナ５５から制御部５００に送信される、商品に付されたバーコードの画像データが対象取引を特定する情報を構成する。また、撮像部はレシートの存在を示す情報としてレシートを撮像した画像データを制御部５００に送信し、制御部５００でオブジェクト認識技術を利用してレシートを認識するようにしてもよい。その他、スキャナ５５の構成、機能は、基本的には第１の実施形態で説明した会計機器スキャナ３１と同様であるので、重複する説明は省略する。
【００５５】
プリンタ５２は、例えば、サーマルプリンタであって、本体５１の上部に一体または別体で設けられている。プリンタ５２は、スキャナ５５で読み取った顧客情報に基づいて二次元コード決済された取引、あるいは、カードリーダ５４で読み取った顧客情報に基づいてクレジットカード決済された取引に関するレシートＲを発行する。レシートＲは、表面Ｆに顧客が購入する商品の商品情報や取引情報などが印刷され、裏面にレシートを示す情報であるバーコードが印刷される。プリンタ５２は表面印刷用のヘッドと裏面印刷用のヘッドを含む、両面プリンタである。プリンタ５２は、スキャナ５５がレシートを示す情報を読取可能な位置にレシートを発行するレシート発行部の一例である。
【００５６】
プリンタ５２は、スキャナ５５の読取窓５５１と同じ側に向けて発行口５２１を備えている。図７に示すように、発行口５２１から発行されるレシートＲは、重力により先端が垂れ下がって、読取窓５５１の前側（顧客側）に位置するよう発行される。言い換えれば、プリンタ５２は、スキャナ５５がレシートを示す情報を読取可能な位置にレシートＲを発行する。その他、プリンタ５２の構成、機能は、基本的には第１の実施形態で説明した会計機器プリンタ３２と同様であるので、重複する説明は省略する。
【００５７】
ディスプレイ５３は、タッチパネル５６（図８参照）を表面に配設したＬＣＤ（Liquid  Crystal  Display）などで構成され、顧客が購入する商品の商品情報や取引情報を表示する。また、ディスプレイ５３は、ＰＯＳ端末５の操作を案内するガイダンスや決済方法を選択する選択キーなども表示する。タッチパネル５６は、ディスプレイ５３の表面に設けられて、触れた位置に応じた情報をＰＯＳ端末５の制御部に入力する。
【００５８】
カードリーダ５４は、クレジットカード決済時に顧客のクレジットカードに記録されたクレジット会社名、会員番号、カードの有効期限等のクレジット情報（顧客情報）を読み取る。カードリーダ５４は、クレジットカードを挿入する挿入口５４１を備える。
【００５９】
次に、ＰＯＳ端末５のハードウェア構成について説明する。図８は、ＰＯＳ端末５のハードウェア構成を示すブロック図である。ＰＯＳ端末５は、制御部５００と、メモリ部５１０と、入出力コントローラ５２０と、通信Ｉ／Ｆ（Interface）５３０等を備える。制御部５００、メモリ部５１０、入出力コントローラ５２０、通信Ｉ／Ｆ５３０はバス５４０を介して互いに接続されている。
【００６０】
制御部５００は、ＣＰＵ５０１、ＲＯＭ５０２、およびＲＡＭ５０３を備えたコンピュータである。ＣＰＵ５０１、ＲＯＭ５０２、およびＲＡＭ５０３は、バス５４０を介して互いに接続されている。
【００６１】
ＣＰＵ５０１は、ＰＯＳ端末５の全体の動作を制御する。ＲＯＭ５０２は、ＣＰＵ５０１の駆動に用いられるプログラムなどの各種プログラムや各種データを記憶する。ＲＡＭ５０３は、ＣＰＵ５０１のワークエリアとして使用され、ＲＯＭ５０２やメモリ部５１０に記憶された各種プログラムや各種データを展開する。制御部５００は、ＣＰＵ５０１がＲＯＭ５０２やメモリ部５１０に記憶されＲＡＭ５０３に展開された制御プログラムに従って動作することによって、ＰＯＳ端末５の各種制御処理を実行する。
【００６２】
メモリ部５１０は、例えば、ＨＤＤやＳＳＤなどの記憶装置で構成される。メモリ部５１０は、制御プログラム部５１１、商品マスタ部５１２、レシートコード部５１３を備える。制御プログラム部５１１は、ＰＯＳ端末５として機能するための制御プログラムの他、各種制御プログラムを記憶する。
【００６３】
商品マスタ部５１２は、商品マスタを記憶する。商品マスタは、店舗で取り扱っている商品について、商品コードと商品情報とを関連付けて記憶したマスタファイルである。店舗で取り扱う商品は日々変化するため、商品マスタは、通信Ｉ／Ｆ５３０を介して接続される店舗サーバ（図示せず）によって適宜更新される。
【００６４】
レシートコード部５１３は、レシートＲの存在を示すコード情報を記憶する。コード情報は、レシートＲの裏面に印刷されるバーコードによって示されるコードである。
【００６５】
入出力コントローラ５２０は、プリンタ５２、ディスプレイ５３、カードリーダ５４、スキャナ５５、タッチパネル５６、および報知部５７と接続される。入出力コントローラ５２０は、接続されるハードウェアに対する入出力インターフェイスとしての機能とこれらハードウェアを制御するための機能とを備えている。これにより、制御部５００は、入出力コントローラ５２０を介して、プリンタ５２、ディスプレイ５３、カードリーダ５４、スキャナ５５、タッチパネル５６、および報知部５７とそれぞれ情報（データ）の送受信が可能であるとともに、制御部５００の指示に基づいてこれらハードウェアを制御可能となっている。
【００６６】
なお、報知部５７は、レシートＲの取り忘れや各種ハードウェアに発生したエラーなどを店員や顧客に報知するためのものである。報知部５７は、ブザーやＬＥＤなどで構成される。通信Ｉ／Ｆ１３０は、図示しない店舗サーバ、決済会社サーバなどと通信するためのインターフェイスである。
【００６７】
次に、ＰＯＳ端末５の機能構成について説明する。図９は、ＰＯＳ端末５機能構成の一例を示すブロック図である。制御部５００は、ＣＰＵ５０１がＲＯＭ５０２やメモリ部５１０の制御プログラム部５１１に記憶された制御プログラムにしたがって動作することで、商品コード入力部５００１、商品登録部５００２、処理部５００３、表示制御部５００４、印字制御部５００５、レシート検出部５００６、および報知制御部５００７、として機能する。なお、これら各機能をハードウェアで構成してもよい。
【００６８】
商品コード入力部５００１は、スキャナ５５が読み取った商品コード、あるいはタッチパネル５６によって受付けた商品コードを入力する。
【００６９】
商品登録部５００２は、商品コード入力部５００１が入力した商品コードに基づいて商品マスタ部５１２から取得した商品情報をＲＡＭ５０３に一時記憶する。商品登録は、顧客が購入する商品全てについて行われる。
【００７０】
処理部５００３は、商品登録された商品について、顧客が支払を行うための処理を実行する。処理部５００３は、例えば、商品登録された商品の合計金額の算出、顧客が選択した支払方法により支払を行うための処理（以下、支払処理ともいう）を行う。より具体的には、顧客がクレジットカード決済を選択した場合、処理部５００３は、顧客情報の取得、取得した顧客情報に基づく決済会社サーバへのオーソリゼーション依頼の送信、オーソリゼーション結果の受信などクレジットカード決済に関する支払処理を行う。また、処理部５００３は、顧客が二次元コード決済を選択した場合も同様に二次元コード決済に関する支払処理を行う。
【００７１】
表示制御部５００４は、ディスプレイ５３を制御して各種情報を表示させる。表示制御部５００４は、例えば、商品登録された商品の商品情報、合計金額、ＰＯＳ端末５の操作を案内するガイダンスや決済方法を選択する選択キーなどをディスプレイ５３に表示させる。
【００７２】
印字制御部５００５は、商品登録、支払処理が済んで会計処理が完了すると、プリンタ５２にレシート発行指示を出力して、レシートＲを発行させる。印字制御部５００５は、レシートＲの表面Ｆに取引に関する情報（会計処理の結果を示す情報）を、裏面にバーコードを印刷させる。
【００７３】
レシート検出部５００６は、プリンタ５２の発行口５２１から発行されて読取窓５５１の前側に位置するレシートＲを検知する。レシート検出部５００６は、スキャナ５５から送信されたコード情報がレシートコード部５１３に記憶されたコード情報と一致した場合、レシートＲを検知する。
【００７４】
報知制御部５００７は、レシート検出部５００６の検知結果に基づいて、報知部５７を制御してレシートの取り忘れを報知させる。報知制御部５００７は、印字制御部５００５
がプリンタ５２に対してレシート発行指示を出力してから所定時間、例えば５秒経過後にレシート検出部５００６がレシートＲを検知すると、報知部５７にレシートの取り忘れを報知させる。
【００７５】
次に、ＰＯＳ端末５の制御部５００が実行する会計処理、レシート発行処理について説明する。図１０は、おけるＰＯＳ端末５の制御部５００による処理の一例を示すフローチャートである。
【００７６】
会計処理では、商品登録に続いて支払処理が行われる。まず、商品登録部５００２によって商品登録が行われる（Ｓ１）。商品登録部５００２は、商品コード入力部５００１が入力した商品コードに基づいて商品マスタ部５１２から商品情報を取得し、ＲＡＭ５０３に記憶する。商品登録がなされると、表示制御部５００４は、ディスプレイ５３に商品情報を表示させる。
【００７７】
顧客が購入する商品全てについて商品登録が完了すると、表示制御部５００４は、ディスプレイ５３に取引情報を表示させる（Ｓ２）。取引情報は、商品登録された商品の合計金額を含む。顧客は、ディスプレイ５３に表示された取引情報を確認した後、タッチパネル５６によって支払方法を選択する。
【００７８】
処理部５００３は、選択された支払方法に基づく支払処理を実行する（Ｓ３）。例えば、タッチパネル５６への入力によってクレジットカード決済が選択されると、処理部５００３は、クレジットカード決済に関する支払処理を実行する。具体的には、処理部５００３は、カードリーダ５４からの顧客情報の取得、取得した顧客情報に基づく決済会社サーバへのオーソリゼーション依頼の送信、オーソリゼーション結果の受信などクレジットカード決済に関する支払処理を行う。
【００７９】
支払処理が済んで会計処理が完了すると、印字制御部５００５は、プリンタ５２に対してレシート発行指示を出力して、プリンタ５２にレシートＲを発行させる（Ｓ４）。プリンタ５２は、レシート発行指示にしたがって、レシートＲの表面Ｆに取引に関する情報を、裏面にバーコードを、それぞれ印刷する。
【００８０】
続いて、レシート検出部５００６は、印字制御部５００５が印刷指示を出力してから所定時間、例えば５秒間レシートＲを検出したか否か判断する（Ｓ５）。レシート検出部５００６によって所定時間レシートＲが検出されない場合（Ｓ５のＮ）、プリンタ５２によって発行されたレシートは顧客によって取り去られたと判断して、制御部５００は処理を終了する。なお、レシート検出部５００６は、印字制御部５００５が印刷指示を出力してから５秒間継続してレシートＲを検知したか否かを判断するのでなく、５秒後にレシートＲを検知したか否かを判断するようにしてもよい。
【００８１】
レシート検出部５００６が所定時間レシートＲを検知すると（Ｓ５のＹ）、報知制御部５００７は、報知部５７を駆動してレシートの取り忘れを報知させる（Ｓ６）。レシート検出部５００６が所定時間レシートＲを検知した場合、顧客がレシートＲを取り忘れたと判断して、報知部５７はレシートＲの取り忘れを報知する。
【００８２】
その後、レシート検出部５００６は、レシートＲを検知したか否かを判断し（Ｓ７）、検知しなければ（Ｓ７のＹ）、制御部５００は、顧客によってレシートＲが取り去られたと判断して処理を終える。レシート検出部５００６がレシートを検知している場合（Ｓ７のＮ）、制御部５００は、レシートＲの取り忘れが解消されていないと判断してＳ６の処理に戻る。
【００８３】
以上説明したとおり、第２の実施形態のＰＯＳ端末５は、取引対象を特定する情報およびレシートを示す情報を読み取るスキャナと、スキャナがレシートを示す情報を読取可能な位置にレシートを発行するレシート発行部と、レシートが発行されてから所定時間経過後にスキャナがレシートを示す情報を読み取った場合、レシートの取り忘れを報知する報知部と、を備える。具体的には、ＰＯＳ端末５は、商品コードを読み取るスキャナ５５がレシートＲの裏面に印刷されたバーコードのコード情報を読み取ることが可能な位置にレシートＲを発行する。そして、レシートが発行されてから所定時間経過後にレシート検出部５００６がレシートを検知すると、報知部５７がレシートの取り忘れを報知する。
【００８４】
このため、顧客は報知部の報知によりレシートの取り忘れを認識することができる。したがって、顧客のレシートの取り忘れを抑制することができる。また、本実施形態のＰＯＳ端末５は、取引対象を特定する情報を読み取るスキャナによって、レシートを示す情報を読み取る構成としている。具体的には、商品コードを読み取るスキャナ５５を利用してレシートＲの裏面に印刷されたバーコードのコード情報を読み取ることができる。このため、レシートの取り忘れを検知するためのセンサを別途設ける必要がない。したがって、ＰＯＳ端末５の構成を簡略化することができる。
【００８５】
また、本実施形態のＰＯＳ端末５のレシート発行部は、スキャナの上方に前記レシートを排出する発行口を備えている。具体的には、プリンタ５２の発行口５２１は、スキャナ５５の読取窓５５１の上方に位置している。
【００８６】
このため、発行口５２１から排出されたレシートＲは、重力によって、レシートＲの裏面に印刷されたバーコードを読取窓５５１に対向させることができる。したがって、レシートＲをスキャナ５５の読取位置にガイドする格別な構成を設ける必要がなく、より簡単な構成で顧客のレシートの取り忘れを抑制することができる。
【００８７】
（第３の実施形態）
以下、図面を参照して第３の実施形態のＰＯＳ端末について説明する。第２の実施形態と同様の構成については、説明を省略する場合がある。以下の説明が不必要に冗長になることを避け、当業者の理解を容易にするためである。なお、ＰＯＳ端末５は、第２の実施形態と同様に、会計装置の一例であり、会計用機器の一例でもある。
【００８８】
図１１は、ＰＯＳ端末５のハードウェア構成を示すブロック図である。スキャナ５５は、照明部５５２および撮像部５５３を含む。スキャナ５５の照明部５５２は、プリンタ５２で発行されたレシートを照らす。照明部５５２は、複数の発光素子を備え、各発光素子の輝度を変更可能に構成されている。撮像部５５３は、ＣＣＤ（Charge  Coupled  Device）やＣＭＯＳ（Complementary  Metal-Oxide  Semiconductor）などのイメージセンサを含む。撮像部５５３は、読取深度変更機構を備える。読取深度変更機構は、例えば異なる焦点を持つ単焦点レンズを２種類設けるなどして構成される。読取深度変更機構は、読取深度制御部５００９（図１２参照）によって動作され、単焦点レンズを切り替えることでレシートＲの裏面に印字されたバーコードの読取可能距離を可変する。読取深度変更機構についてはその他、様々な技術が利用できる。撮像部５５３は各読取深度で撮像を行う。なお、スキャナ５５は制御ボードを有してもよい。その場合、制御ボードは制御部５００の指示に基づいて、照明部５５２および撮像部５５３の動作を制御する。
【００８９】
次に、ＰＯＳ端末５の機能構成について説明する。図１２は、ＰＯＳ端末５の機能構成を示すブロック図である。制御部５００は、ＣＰＵ５０１がＲＯＭ５０２やメモリ部５１０の制御プログラム部５１１に記憶された制御プログラムにしたがって動作することで、商品コード入力部５００１、商品登録部５００２、処理部５００３、表示制御部５００４、印字制御部５００５、レシート検出部５００６、および報知制御部５００７に加えて、照明制御部５００８および読取深度制御部５００９としても機能する。
【００９０】
照明制御部５００８は、レシート発行部によるレシートの発行と連動して照明部５５２を点灯させる。具体的には、照明制御部５００８は、処理部５００３による支払処理が完了すると、照明部５５２を点灯させる。また、照明制御部５００８は、印字制御部５００５がプリンタ５２にレシート発行指示を出力すると、照明部５５２の各発光素子の輝度を段階的に変更する。スキャナ５５は、照明部５５２の輝度が段階的に変更された状態でレシートＲのバーコードの読取を繰り返す。なお、スキャナ５５が制御ボードを有する場合は、制御部５００からのレシート発行と連動した照明部の駆動指示を受信したことに基づいて、制御ボードが照明制御部として照明部を段階的に変化させることもできる。
【００９１】
読取深度制御部５００９は、レシート発行部によるレシートの発行と連動して読取深度変更機構により読取深度を変更する。例えば、読取深度制御部５００９は、読取深度変更機構が備える複数の単焦点レンズを適宜切り替える。なお、スキャナ５５が制御ボードを有する場合は、制御部５００からのレシート発行と連動した照明部の駆動指示を受信したことに基づいて、制御ボードが読取深度制御部として読取深度変更機構を変化させることもできる。
【００９２】
次に、ＰＯＳ端末５の制御部５００が実行する会計処理、レシート発行処理について説明する。図１３は、おけるＰＯＳ端末５の制御部５００による処理の一例を示すフローチャートである。図１３において、Ｓ１〜Ｓ４、Ｓ６、Ｓ７については、第２の実施形態と同様の処理であるので、同一符号を付し説明を省略する。
【００９３】
Ｓ３で支払処理がなされると、照明制御部５００８は、照明部５５２を点灯させる（Ｓ１１）。次いで、プリンタ５２にレシート発行指示を出力（Ｓ４）した後、スキャナ５５が輝度調整読取を行う（Ｓ１２）。輝度調整読取は、照明制御部５００８が照明部５５２の輝度を段階的に変更させた状態でスキャナ５５がレシートＲの裏面に印字されたバーコードを読取るものである。
【００９４】
制御部５００は、輝度調整読取が所定時間行われたか否か判断し（Ｓ１３）、所定時間行われていない場合（Ｓ１３のＮ）、Ｓ１２の処理に戻って輝度調整読取を繰り返す。輝度調整読取が所定時間行われると（Ｓ１３のＹ）、照明制御部５００８は照明部５５２を消灯させる（Ｓ１４）。
【００９５】
続いて、レシート検出部５００６は、レシートＲを検出した否かを判断する（Ｓ１５）。レシート検出部５００６がレシートＲを検出しなければ（Ｓ１５のＮ）、制御部５００は、顧客によってレシートＲが取り去られたと判断して処理を終える。レシート検出部５００６がレシートを検出している場合（Ｓ１５のＹ）、制御部５００は、第２の実施形態と同様にＳ６、Ｓ７の処理を実行する。
【００９６】
第３の実施形態によれば、以下のように、レシートＲの裏面に印刷したバーコード情報の読取りを確実に行うことができる。スキャナ５５の読取位置に位置するレシートＲは、位置が不安定である。なぜなら、レシートＲは先端が垂れ下がって、読取窓３１４に位置しているが、操作者が意図的に読取窓３１４にバーコードをかざしているわけではないからである。このため、例えばレシートＲがぶれてしまいスキャナ５５がバーコードを読み取ることができない可能性がある。
【００９７】
そこで、本実施形態では、照明部５５２を点灯させて読取位置を明るくすることで、撮像部５５３のシャッタースピードを速くすることを可能とする。これにより、レシートＲがぶれた状態であってもバーコードを読取ることが可能となる。また、照明部５５２の各発光素子の輝度を段階的に変更しながら読取を実行することから、位置が不安定なレシートＲのバーコードを安定して読み取ることができる。バーコードでなくマークを読取る場合、またはレシートＲを撮像する場合にも読取あるいは撮像が安定して行われる。
【００９８】
しかも、照明部５５２が点灯することで、顧客にレシートＲを注視させることができる。照明部５５２が点灯することにより、顧客は、スキャナ５５からの照明光が目に入り、まぶしさを感じることから、発行されたレシートＲが位置するスキャナ５５の読取窓５５１に注目するからである。特に、印字制御部５００５がプリンタ５２に対してレシート発行指示を出力するより先に、照明制御部５００８が照明部５５２を点灯させるので、より確実に顧客に対してレシートＲを注視させることができる。照明制御部５００８は、レシートＲが読取位置に到達する前に照明部５５２を点灯することができる。なお、照明部５５２の点灯は、レシートＲが読取部に到達する前であることが望ましいが、同じあるいは到達後であってもかまわない。
【００９９】
照明部５５２は消費電力が大きく、また、顧客にまぶしさを感じさせるために、一般的に照明制御部５００８は、読取を実行しない間は照明部５５２を消灯する。しかしながら、照明部５５２を点灯することで、顧客は照明部５５２によって照らされる読取窓５５１近辺を注視する。このことから、レシートＲの裏面にバーコードを印刷しない会計用機器であっても(レシートＲ裏面のバーコード読取を実行しない場合も）、照明制御部５００８はレシート発行と連動した点灯指示に基づいて照明部を点灯する。なお、点灯とは照明部を点滅させることも含む。
【０１００】
また、照明制御部５００８による照明部５５２の点灯に代えて、あるいは加えて、読取深度制御部５００９による読取深度変更機構の制御を行ってもよい。一例として、図１３のＳ１２の輝度調整読取処理に代えて、読取深度調整読取を実行することができる。すなわち、読取深度制御部５００９は、処理部５００３による支払処理に続いて、読取深度変更機構を動作させ、単焦点レンズを切り替えて読取深度を段階的に変更する。撮像部５５３は段階的に変更される各読取深度で撮像を行う。なお、スキャナ５５が制御ボードを有する場合は、制御部５００からのレシート発行と連動した読取指示を受信したことに基づいて、制御ボードが読取深度制御部として読取深度変更機構を切り替えることもできる。
【０１０１】
これにより、読取窓５５１からバーコードまでの距離が安定しないレシートＲのバーコードを安定して読み取ることができる。バーコードでなくマークを読取る場合、またはレシートＲを撮像する場合にも読取あるいは撮像が安定する。
【０１０２】
以上、本発明の各実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【０１０３】
例えば、キャッシュレス決済としては、指紋認証など生体認証による決済を用いるものでもよい。この場合、読み取られる指紋情報がキャッシュレス決済に用いられるキャッシュレス情報となる。また、発行口５２１（第１の実施形態においては３２１）の位置は、スキャナ５５（第１の実施形態においては会計機器スキャナ３１）の上方に限らない。さらに、スキャナ５５（第１の実施形態においては会計機器スキャナ３１）は、撮像した商品やレシートの画像の特徴量に基づいて、商品やレシートを認識するオブジェクト認識を用いたものでもよい。加えて、第２および第３の実施形態においては、スキャナ５５は、二次元コード決済時に顧客の二次元コードを読取可能な決済用スキャナも兼用したが、決済用のスキャナは別途設けてもよい。
【０１０４】
なお、上記各実施形態において、ＰＯＳ端末１、５で実行される制御プログラムは、ＣＤ−ＲＯＭ等のコンピュータで読み取り可能な記録媒体に記録して提供するように構成してもよい。また、上記実施形態のＰＯＳ端末１、５で実行される制御プログラムを、インターネット等のネットワークに接続されたコンピュータ上に格納し、ネットワーク経由でダウンロードさせることにより提供するように構成しても良く、さらには、インターネット等のネットワーク経由で提供するように構成しても良い。
【符号の説明】
【０１０５】
１      ＰＯＳ端末（会計装置）
３      会計用機器
５      ＰＯＳ端末（会計装置、会計用機器）
３１    会計機器スキャナ（読取部）
３２    会計機器プリンタ（レシート発行部）
５５    スキャナ
５２    プリンタ（レシート発行部）
５７    報知部
３２１  発行口
５２１  発行口
【先行技術文献】
【特許文献】
【０１０６】
【特許文献１】特開２０１９−４９３０号公報
【図１】
2022003516.tif 000003
【図２】
2022003516.tif 000004
【図３】
2022003516.tif 000005
【図４】
2022003516.tif 000006
【図５】
2022003516.tif 000007
【図６】
2022003516.tif 000008
【図７】
2022003516.tif 000009
【図８】
2022003516.tif 000010
【図９】
2022003516.tif 000011
【図１０】
2022003516.tif 000012
【図１１】
2022003516.tif 000013
【図１２】
2022003516.tif 000014
【図１３】
2022003516.tif 000015